(57)【特許請求の範囲】
【請求項１】
隣接セル情報管理方法であって、
無線ネットワーク制御装置が、周波数間隣接セルリスト以外の周波数間セルを測定させることをユーザ装置に通知するための指示情報を通知メッセージに含ませて、前記通知メッセージをユーザ装置に送信するステップと、
前記ユーザ装置が、前記通知メッセージを受信した後、前記通知メッセージにより通知された、周波数間隣接セルリスト以外の周波数間セルを測定し、測定結果を報告するステップと
を含み、
周波数間隣接セルリスト以外の周波数間セルを測定させることを前記ユーザ装置に通知するための指示情報を前記通知メッセージに含ませるステップは、
周波数間隣接セルリスト以外の周波数間セルを測定させることを前記ユーザ装置に通知するための自動隣接セル関係機能情報要素を、前記通知メッセージに新規に追加すること、又は、
前記通知メッセージにおける、セル状態を示す既存の情報要素を再利用して、周波数間隣接セルリスト以外の周波数間セルを測定させることを前記ユーザ装置に通知することを含む
隣接セル情報管理方法。
【請求項２】
前記周波数間隣接セルリスト以外の周波数間セルは、周波数間モニタセットセル、周波数間仮想アクティブセットセル以外のセルである周波数間検出セットセルである
請求項１に記載の方法。
【請求項３】
前記通知メッセージは、報告する必要があるセルを示す情報ユニットを更に含み、
前記情報ユニットは、周波数間検出セットセルのみを報告する報告方式、周波数間モニタセットセルのみを報告する報告方式、周波数間モニタセットセル及び／又は周波数間検出セットセルを報告する報告方式、周波数間仮想アクティブセットセルと周波数間検出セットセルとをペアで報告する報告方式、周波数間仮想アクティブセットセルと周波数間モニタセットセルをペアで報告する報告方式、周波数間モニタセットと周波数間検出セットセルとのセットと周波数間仮想アクティブセットセルとをペアで報告する報告方式のうちいずれか１つを示す
請求項２に記載の方法。
【請求項４】
前記通知メッセージは、前記ユーザ装置によって報告されるメッセージにおいて測定結果が所属する周波数間セル又はシステム間セルの最大数を示すためのセル数指示情報要素を更に含む
請求項１に記載の方法。
【請求項５】
前記ユーザ装置が前記通知メッセージにより通知された、周波数間隣接セルリスト以外の周波数間セルを測定するステップにおいて、前記ユーザ装置が隣接セルを測定する場合に測定される物理量は、共通パイロットチャネルの１チップあたりのエネルギ対雑音比、共通パイロットチャネル受信信号コードパワー、プライマリー共通制御物理チャネル受信信号コードパワー、タイムスロット信号コードパワー干渉経路損失のうち１つ以上の物理量を含む
請求項１に記載の方法。
【請求項６】
当該方法は、
前記無線ネットワーク制御装置が、前記ユーザ装置によって報告された測定結果に応じて、前記ユーザ装置のハンドオーバーターゲットセルを決定し、前記ユーザ装置によって報告された測定結果に応じて、システムによって維持された隣接セル情報を更新するステップを更に含む
請求項１〜５のいずれか１項に記載の方法。
【請求項７】
隣接セル情報管理方法であって、
無線ネットワーク制御装置が、システム間隣接セルリスト以外のシステム間セルを測定させることをユーザ装置に通知するための指示情報を通知メッセージに含ませて、前記通知メッセージをユーザ装置に送信するステップと、
前記ユーザ装置が、前記通知メッセージを受信した後、前記通知メッセージにより通知された、システム間隣接セルリスト以外のシステム間セルを測定し、測定結果を報告するステップと
を含み、
システム間隣接セルリスト以外のシステム間セルを測定させることを前記ユーザ装置に通知するための指示情報を、前記通知メッセージに含ませるステップは、
システム間隣接セルリスト以外のシステム間セルを測定させることを前記ユーザ装置に通知するための自動隣接セル関係機能情報要素を、前記通知メッセージに新規に追加すること、又は、
前記通知メッセージにおける、セル状態を示す既存の情報要素を再利用して、システム間隣接セルリスト以外のシステム間セルを測定させることを前記ユーザ装置に通知することを含む
隣接セル情報管理方法。
【請求項８】
前記システム間隣接セルリスト以外のシステム間セルは、システム間モニタセットセル、システム間仮想アクティブセットセル以外のセルであるシステム間検出セットセルである
請求項７に記載の方法。
【請求項９】
前記通知メッセージは、報告する必要があるセルを示す情報ユニットを更に含み、
前記情報ユニットは、システム間検出セットセルのみを報告する報告方式、システム間モニタセットセルのみを報告する報告方式、システム間モニタセットセル及び／又はシステム間検出セットセルを報告する報告方式、システム間仮想アクティブセットセルとシステム間検出セットセルとをペアで報告する報告方式、システム間仮想アクティブセットセルとシステム間モニタセットセルをペアで報告する報告方式、システム間モニタセットとシステム間検出セットセルとのセットとシステム間仮想アクティブセットセルとをペアで報告する報告方式のうちいずれか１つを示す
請求項８に記載の方法。
【請求項１０】
前記通知メッセージは、前記ユーザ装置によって報告されるメッセージにおいて測定結果が所属するシステム間セルの最大数を示すためのセル数指示情報要素を更に含む
請求項７に記載の方法。
【請求項１１】
前記ユーザ装置が、前記通知メッセージにより通知された、システム間隣接セルリスト以外のシステム間セルを測定するステップにおいて、前記ユーザ装置が隣接セルを測定する場合に測定される物理量は、共通パイロットチャネルの１チップあたりのエネルギ対雑音比、共通パイロットチャネル受信信号コードパワー、プライマリー共通制御物理チャネル受信信号コードパワー、タイムスロット信号コードパワー干渉経路損失のうち１つ以上の物理量を含む
請求項７に記載の方法。
【請求項１２】
当該方法は、
前記無線ネットワーク制御装置が、前記ユーザ装置によって報告された測定結果に応じて、前記ユーザ装置のハンドオーバーターゲットセルを決定し、前記ユーザ装置によって報告された測定結果に応じて、システムによって維持された隣接セル情報を更新するステップを更に含む
請求項７〜１１のいずれか１項に記載の方法。
【請求項１３】
無線ネットワーク制御装置とユーザ装置とを含む、隣接セル自動設定システムであって、
前記無線ネットワーク制御装置は、周波数間隣接セルリスト以外の周波数間セル又はシステム間隣接セルリスト以外のシステム間セルを測定させることを前記ユーザ装置に通知するための指示情報を通知メッセージに含ませて、前記通知メッセージをユーザ装置に送信し、
前記ユーザ装置は、前記通知メッセージを受信した後、前記通知メッセージにより通知された、周波数間隣接セルリスト以外の周波数間セルを測定し、又は、前記通知メッセージにより通知された、システム間隣接セルリスト以外のシステム間セルを測定し、測定結果を報告し、
前記無線ネットワーク制御装置は、
周波数間隣接セルリスト以外の周波数間セル又はシステム間隣接セルリスト以外のシステム間セルを測定させることを前記ユーザ装置に通知するための指示情報を、前記通知メッセージに含ませるとき、
周波数間隣接セルリスト以外の周波数間セル又はシステム間隣接セルリスト以外のシステム間セルを測定させることを前記ユーザ装置に通知するための自動隣接セル関係機能情報要素を、前記通知メッセージに新規に追加し、又は、
前記通知メッセージにおける、セル状態を示す既存の情報要素を再利用して、周波数間隣接セルリスト以外の周波数間セル又はシステム間隣接セルリスト以外のシステム間セルを測定させることを、前記ユーザ装置に通知する
隣接セル自動設定システム。
【請求項１４】
前記ユーザ装置は、前記通知メッセージにより通知された、周波数間隣接セルリスト以外の周波数間セル、又は、システム間隣接セルリスト以外のシステム間セルを測定するとき、隣接セルにおける、共通パイロットチャネルの１チップあたりのエネルギ対雑音比、共通パイロットチャネル受信信号コードパワー、プライマリー共通制御物理チャネル受信信号コードパワー、タイムスロット信号コードパワー干渉経路損失のうち１つ以上の物理量を測定する
請求項１３に記載のシステム。
【請求項１５】
前記周波数間隣接セルリスト以外の周波数間セルは、周波数間モニタセットセル、周波数間仮想アクティブセットセル以外のセルである周波数間検出セットセルであり、
前記システム間隣接セルリスト以外のシステム間セルは、システム間モニタセットセル、システム間仮想アクティブセットセル以外のセルであるシステム間検出セットセルである
請求項１３に記載のシステム。
【請求項１６】
前記通知メッセージが、周波数間隣接セルリスト以外の周波数間セルを測定させることを前記ユーザ装置に通知するための指示情報を含む場合、通知メッセージは、報告する必要があるセルを示す情報ユニットを更に含み、
前記情報ユニットは、周波数間検出セットセルのみを報告する報告方式、周波数間モニタセットセルのみを報告する報告方式、周波数間モニタセットセル及び／又は周波数間検出セットセルを報告する報告方式、周波数間仮想アクティブセットセルと周波数間検出セットセルとをペアで報告する報告方式、周波数間仮想アクティブセットセルと周波数間モニタセットセルをペアで報告する報告方式、周波数間モニタセットと周波数間検出セットセルとのセットと周波数間仮想アクティブセットセルとをペアで報告する報告方式のうちいずれか１つを示し、
前記通知メッセージが、システム間隣接セルリスト以外のシステム間セルを測定させることを前記ユーザ装置に通知する指示情報を含む場合、通知メッセージは、報告する必要があるセルを示す情報ユニットを更に含み、
前記情報ユニットは、システム間検出セットセルのみを報告する報告方式、システム間モニタセットセルのみを報告する報告方式、システム間モニタセットセル及び／又はシステム間検出セットセルを報告する報告方式、システム間仮想アクティブセットセルとシステム間検出セットセルとをペアで報告する報告方式、システム間仮想アクティブセットセルとシステム間モニタセットセルをペアで報告する報告方式、システム間モニタセットとシステム間検出セットセルとのセットとシステム間仮想アクティブセットセルとをペアで報告する報告方式のうちいずれか１つを示す
請求項１５に記載のシステム。
【請求項１７】
前記無線ネットワーク制御装置は、更に、
前記ユーザ装置によって報告された測定結果に応じて、前記ユーザ装置のハンドオーバーターゲットセルを決定し、前記ユーザ装置によって報告された測定結果に応じて、システムによって維持された隣接セル情報を更新する
請求項１３〜１５のいずれか１項に記載のシステム。
【発明の詳細な説明】
【技術分野】
【０００１】
本発明は無線通信分野に関し、特に、隣接セル情報管理方法及びシステムに関する。
【背景技術】
【０００２】
モバイルユーザへのサービスの継続性の保証は、セルラー移動通信システムの基本機能の１つであり、サービスの継続性を保証するための主な手段は、移動局サービスセルのハンドオーバーである。ユーザ装置（Ｕｓｅｒ  Ｅｑｕｉｐｍｅｎｔ：ＵＥ）によって実行されるハンドオーバーの利便性のために、システムは、各セルに隣接関係を設定する必要がある。ネットワーク側は、隣接セル情報をユーザ装置に通知し、ユーザ装置は、隣接セルを測定した後、測定結果を報告する。そして、ネットワーク側は、ある特定の隣接セルにハンドオーバーするようにユーザ装置に通知する。
【０００３】
あるセルの周辺にどの隣接セルが存在するかについては、セルまでの距離に関係があるだけでなく、セルが位置する無線環境とも関係がある。無線環境は複雑であるため、特に高層ビルが密集する都市環境では、ネットワーク計画の最初に、あるセルに対してどの隣接セルを設定するかを明確に判断することができない。更に、例えば、システムに新たなセルが追加されたり、セル属性が変更されたり、セルの隣接関係がタイムリーに更新されなかったり、環境が変更されたり、ネットワーク計画者によりミスが生じたりした場合、隣接セル情報をタイムリーに更新することができなくなることがある。これにより、ユーザ装置が他のセルにタイムリーにハンドオーバーすることができなくなり、ユーザ装置にサービスを提供するセルの負荷が高くなる。これにより、このセルの信号品質が悪化し、干渉がひどくなり、ユーザのコールドロップ等の情況が発生してしまう。
【０００４】
セルの隣接関係をタイムリーに設定するために、ロング・ターム・エボリューション（Ｌｏｎｇ  Ｔｅｒｍ  Ｅｖｏｌｕｔｉｏｎ：ＬＴＥ）システムでは、自動隣接関係（Ａｕｔｏｍａｔｉｃ  Ｎｅｉｇｈｂｏｒ  Ｒｅｌａｔｉｏｎ：ＡＮＲ）機能に基づく隣接セルリストの追加が提案されている。ＡＮＲ機能は、ユーザ装置を介して新たなセルを補助的に測定して、測定結果をネットワーク側に報告し、ネットワーク側が隣接セルリストの追加を完了する機能である。この方法では、隣接セルを手動で追加する必要がなく、隣接セルリストの追加がシステムによって自動的に完了される。
【０００５】
同一周波数隣接セルの設定の脱落の問題は、従来の技術では、検出セット測定方法によって解決することができる。ユーザ装置が検出セットを報告する場合、ネットワーク側は、ソフトハンドオーバー又は同一周波数ハードハンドオーバーを行うことができるかどうかを判断するとともに、ユーザ装置が測定したセルを、設定の脱落がある隣接セルリストに追加することができる。しかしながら、周波数間隣接セル、システム間隣接セルの設定の脱落の問題を解決することができない。特に２Ｇシステム、３Ｇシステムにおける、時分割−同期符号分割多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ：ＴＤ−ＳＣＤＭＡ）、符号分割多元接続２０００（Ｃｏｄｅ  Ｄｉｖｉｓｉｏｎ  Ｍｕｌｔｉｐｌｅ  Ａｃｃｅｓｓ：ＣＤＭＡ２０００）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｄｄｒｅｓｓ：ＷＣＤＭＡ）という３種のシステムが共に存在する場合に、隣接セルの設定の脱落の問題が深刻になる。従来の技術では、周波数間隣接セル及びシステム間隣接セルの設定の脱落の問題に対する解決方法が未だ存在しない。
【発明の概要】
【発明が解決しようとする課題】
【０００６】
本発明が解決しようとする技術的課題は、ユーザ装置の隣接セル情報を取得するネットワーク側の能力を向上させ、更にシステムのコールドロップに対する防止能力、及び装置の通話の継続性を維持するシステムの能力を向上させるための隣接セル情報管理方法及びシステムを提供することにある。
【課題を解決するための手段】
【０００７】
上記課題を解決するために、本発明は、隣接セル情報管理方法を提供する。
この方法は、無線ネットワーク制御装置が、周波数間隣接セルリスト以外の周波数間セルを測定させることをユーザ装置に通知するための指示情報を通知メッセージに含ませて、前記通知メッセージをユーザ装置に送信するステップと、
前記ユーザ装置が、前記通知メッセージを受信した後、前記通知メッセージにより通知された、周波数間隣接セルリスト以外の周波数間セルを測定し、測定結果を報告するステップとを含む。
【０００８】
周波数間隣接セルリスト以外の周波数間セルを測定させることを前記ユーザ装置に通知するための指示情報を、前記通知メッセージに含ませるステップは、
周波数間隣接セルリスト以外の周波数間セル又はシステム間隣接セルリスト以外のシステム間セルを測定することを前記ユーザ装置に通知するための自動隣接セル関係機能情報要素を、前記通知メッセージに新規に追加することを含む。
【０００９】
前記周波数間隣接セルリスト以外の周波数間セルは、周波数間モニタセットセル、周波数間仮想アクティブセットセル以外のセルである周波数間検出セットセルである。
【００１０】
前記通知メッセージは、報告する必要があるセルを示す情報ユニットを更に含み、
前記情報ユニットは、周波数間検出セットセルのみを報告する報告方式、周波数間モニタセットセルのみを報告する報告方式、周波数間モニタセットセル及び／又は周波数間検出セットセルを報告する報告方式、周波数間仮想アクティブセットセルと周波数間検出セットセルとをペアで報告する報告方式、周波数間仮想アクティブセットセルと周波数間モニタセットセルをペアで報告する報告方式、周波数間モニタセットと周波数間検出セットセルとのセットと周波数間仮想アクティブセットセルとをペアで報告する報告方式のうちいずれか１つを示す。
【００１１】
前記通知メッセージは、前記ユーザ装置によって報告されるメッセージにおいて測定結果が所属する周波数間セル又はシステム間セルの最大数を示すためのセル数指示情報要素を更に含む。
【００１２】
前記ユーザ装置が前記通知メッセージにより通知された、周波数間隣接セルリスト以外の周波数間セルを測定するステップにおいて、前記ユーザ装置が隣接セルを測定する場合に測定される物理量は、共通パイロットチャネルの１チップあたりのエネルギ対雑音比、共通パイロットチャネル受信信号コードパワー、プライマリー共通制御物理チャネル受信信号コードパワー、タイムスロット信号コードパワー干渉経路損失のうち１つ以上の物理量を含む。
【００１３】
上記方法は、
前記無線ネットワーク制御装置が、前記ユーザ装置によって報告された測定結果に応じて、前記ユーザ装置のハンドオーバーターゲットセルを決定し、前記ユーザ装置によって報告された測定結果に応じて、システムによって維持された隣接セル情報を更新するステップを更に含む。
【００１４】
上記技術的課題を解決するために、本発明は隣接セル情報管理方法を更に提供する。
当該方法は、
無線ネットワーク制御装置が、システム間隣接セルリスト以外のシステム間セルを測定させることをユーザ装置に通知するための指示情報を通知メッセージに含ませて、前記通知メッセージをユーザ装置に送信するステップと、
前記ユーザ装置が前記通知メッセージを受信した後、前記通知メッセージにより通知された、システム間隣接セルリスト以外のシステム間セルを測定し、測定結果を報告するステップとを含む。
【００１５】
システム間隣接セルリスト以外のシステム間セルを測定させることを前記ユーザ装置に通知するための指示情報を、前記通知メッセージに含ませるステップは、
システム間隣接セルリスト以外のシステム間セルを測定させることを前記ユーザ装置に通知するための自動隣接セル関係機能情報要素を、前記通知メッセージに新規に追加すること、又は、
前記通知メッセージにおける、セル状態を示す既存の情報要素を再利用して、システム間隣接セルリスト以外のシステム間セルを測定させることを、前記ユーザ装置に通知することを含む。
【００１６】
前記システム間隣接セルリスト以外のシステム間セルは、システム間モニタセットセル、システム間仮想アクティブセットセル以外のセルであるシステム間検出セットセルである。
【００１７】
前記通知メッセージは、報告する必要があるセルを示す情報ユニットを更に含み、
前記情報ユニットは、システム間検出セットセルのみを報告する報告方式、システム間モニタセットセルのみを報告する報告方式、システム間モニタセットセル及び／又はシステム間検出セットセルを報告する報告方式、システム間仮想アクティブセットセルとシステム間検出セットセルとをペアで報告する報告方式、システム間仮想アクティブセットセルとシステム間モニタセットセルをペアで報告する報告方式、システム間モニタセットとシステム間検出セットセルとのセットとシステム間仮想アクティブセットセルとをペアで報告する報告方式のうちいずれか１つを示す。
【００１８】
前記通知メッセージは、前記ユーザ装置によって報告されるメッセージにおいて測定結果が所属するシステム間セルの最大数を示すためのセル数指示情報要素を更に含む。
【００１９】
前記ユーザ装置が前記通知メッセージにより通知された、システム間隣接セルリスト以外のシステム間セルを測定するステップにおいて、前記ユーザ装置が隣接セルを測定する場合に測定される物理量は、共通パイロットチャネルの１チップあたりのエネルギ対雑音比、共通パイロットチャネル受信信号コードパワー、プライマリー共通制御物理チャネル受信信号コードパワー、タイムスロット信号コードパワー干渉経路損失のうち１つ以上の物理量を含む。
【００２０】
当該方法は、
前記無線ネットワーク制御装置が、前記ユーザ装置によって報告された測定結果に応じて、前記ユーザ装置のハンドオーバーターゲットセルを決定し、前記ユーザ装置によって報告された測定結果に応じて、システムによって維持された隣接セル情報を更新するステップを更に含む。
【００２１】
上記課題を解決するために、本発明は、隣接セル自動設定システムを更に提供する。このシステムは、無線ネットワーク制御装置とユーザ装置とを含む。
前記無線ネットワーク制御装置は、周波数間隣接セルリスト以外の周波数間セル又はシステム間隣接リスト以外のシステム間セルを測定させることを前記ユーザ装置に通知するための指示情報を通知メッセージに含ませて、前記通知メッセージをユーザ装置に送信する。
前記ユーザ装置は、前記通知メッセージを受信した後、前記通知メッセージにより通知された、周波数間隣接セルリスト以外の周波数間セルを測定し、又は、前記通知メッセージにより通知された、システム間隣接セルリスト以外のシステム間セルを測定し、測定結果を報告する。
【００２２】
前記無線ネットワーク制御装置は、周波数間隣接セルリスト以外の周波数間セル又はシステム間隣接セルリスト以外のシステム間セルを測定させることを前記ユーザ装置に通知するための指示情報を、前記通知メッセージに含ませるとき、
周波数間隣接セルリスト以外の周波数間セル又はシステム間隣接セルリスト以外のシステム間セルを測定させることを前記ユーザ装置に通知するための自動隣接セル関係機能情報要素を、前記通知メッセージに新規に追加し、又は、
前記通知メッセージにおける、セル状態を示す既存の情報要素を再利用して、周波数間隣接セルリスト以外の周波数間セル又はシステム間隣接セルリスト以外のシステム間セルを測定させることを、前記ユーザ装置に通知する。
【００２３】
前記ユーザ装置は、前記通知メッセージにより通知された、周波数間隣接セルリスト以外の周波数間セル、又は、システム間隣接セルリスト以外のシステム間セルを測定するとき、隣接セルにおける、共通パイロットチャネルの１チップあたりのエネルギ対雑音比、共通パイロットチャネル受信信号コードパワー、プライマリー共通制御物理チャネル受信信号コードパワー、タイムスロット信号コードパワー干渉経路損失のうち１つ以上の物理量を測定する。
【００２４】
前記周波数間隣接セルリスト以外の周波数間セルは、周波数間モニタセットセル、周波数間仮想アクティブセットセル以外のセルである周波数間検出セットセルであり、
前記システム間隣接セルリスト以外のシステム間セルは、システム間モニタセットセル、システム間仮想アクティブセットセル以外のセルであるシステム間検出セットセルである。
【００２５】
前記通知メッセージが、周波数間隣接セルリスト以外の周波数間セルを測定させることを前記ユーザ装置に通知するための指示情報を含む場合、通知メッセージは、報告する必要があるセルを示す情報ユニットを更に含み、
前記情報ユニットは、周波数間検出セットセルのみを報告する報告方式、周波数間モニタセットセルのみを報告する報告方式、周波数間モニタセットセル及び／又は周波数間検出セットセルを報告する報告方式、周波数間仮想アクティブセットセルと周波数間検出セットセルとをペアで報告する報告方式、周波数間仮想アクティブセットセルと周波数間モニタセットセルをペアで報告する報告方式、周波数間モニタセットと周波数間検出セットセルとのセットと周波数間仮想アクティブセットセルとをペアで報告する報告方式のうちいずれか１つを示し、
前記通知メッセージが、システム間隣接セルリスト以外のシステム間セルを測定させることを前記ユーザ装置に通知する指示情報を含む場合、通知メッセージには、報告する必要があるセルを示す情報ユニットを更に含み、
前記情報ユニットは、システム間検出セットセルのみを報告する報告方式、システム間モニタセットセルのみを報告する報告方式、システム間モニタセットセル及び／又はシステム間検出セットセルを報告する報告方式、システム間仮想アクティブセットセルとシステム間検出セットセルとをペアで報告する報告方式、システム間仮想アクティブセットセルとシステム間モニタセットセルをペアで報告する報告方式、システム間モニタセットとシステム間検出セットセルとのセットとシステム間仮想アクティブセットセルとをペアで報告する報告方式のうちいずれか１つを示す。
【００２６】
前記無線ネットワーク制御装置は、更に、前記ユーザ装置によって報告された測定結果に応じて、前記ユーザ装置のハンドオーバーターゲットセルを決定し、前記ユーザ装置によって報告された測定結果に応じて、システムによって維持された隣接セル情報を更新する。
【００２７】
本発明では、ユーザ装置は、隣接セルリスト以外のセルを測定した後、測定結果をネットワーク側に通知する。これにより、ユーザ装置の隣接セル情報を取得するネットワーク側の能力が向上する。ネットワーク側は、ユーザ装置によって報告された測定結果に応じて、周波数間ハンドオーバー又はシステム間ハンドオーバーを実行することを決定する。これにより、ユーザ装置がタイムリーにハンドオーバーを行うことが可能となり、コールドロップを有効に防止することができる。同時に、ネットワーク側は、周波数間隣接セル又はシステム間隣接セルに対して更新を行う。この測定方法を満たさないユーザ装置に対して、測定制御メッセージを送信する場合、ネットワーク側は、更新された隣接セルリストを利用する。これにより、関連するユーザ装置がより好ましいセルにタイムリーにハンドオーバーすることができるようになり、従って、ユーザ装置の通話の継続性を保証することができる。
【図面の簡単な説明】
【００２８】
【図１】実施形態に係る隣接セル情報管理方法のフローチャートである。
【発明を実施するための形態】
【００２９】
隣接セル自動設定システムは、無線ネットワーク制御装置(ＲＮＣ:Ｒａｄｉｏ  Ｎｅｔｗｏｒｋ  Ｃｏｎｔｒｏｌｌｅｒ)とユーザ装置とを含む。
無線ネットワーク制御装置は、周波数間隣接セルリスト以外の周波数間セル又はシステム間隣接セルリスト以外のシステム間セルを測定させることを前記ユーザ装置に通知するための指示情報を通知メッセージに含ませて、前記通知メッセージをユーザ装置に送信する。
【００３０】
前記通知メッセージは、周波数間隣接セルリスト以外の周波数間セル又はシステム間隣接セルリスト以外のシステム間セルを測定させることを前記ユーザ装置に通知するための自動隣接セル関係機能情報要素を含む。或いは、前記通知メッセージは、周波数間隣接セルリスト以外の周波数間セル又はシステム間隣接セルリスト以外のシステム間セルを測定させることを前記ユーザ装置に通知するための、セル状態を示す既存の情報要素を含む。
【００３１】
前記無線ネットワーク制御装置は、前記ユーザ装置によって報告された測定結果に応じて、前記ユーザ装置のハンドオーバーターゲットセルを決定し、前記ユーザ装置によって報告された測定結果に応じて、システムによって維持された隣接セル情報を更新する。
【００３２】
ユーザ装置は、通知メッセージを受信した後、この通知メッセージにより通知された、周波数間隣接セルリスト以外の周波数間セルを測定し、又は、この通知メッセージにより通知された、システム間隣接セルリスト以外のシステム間セルを測定し、測定結果を報告する。
【００３３】
ユーザ装置は、更に、隣接セルにおける、共通パイロットチャネルの１チップあたりのエネルギ対雑音比、共通パイロットチャネル受信信号コードパワー、プライマリー共通制御物理チャネル受信信号コードパワー、タイムスロット信号コードパワー干渉経路損失のうち１つ以上の物理量を測定する。
【００３４】
図１に示すように、隣接セル情報管理方法は以下のステップを含む。
【００３５】
ステップ１０１：無線ネットワーク制御装置は、周波数間隣接セルリスト以外の周波数間セル又はシステム間隣接セルリスト以外のシステム間セルを測定させることを前記ユーザ装置に通知するための指示情報を含む通知メッセージを、ユーザ装置に送信する。
【００３６】
通知メッセージは、周波数間隣接セルリスト以外の周波数間セル又はシステム間隣接セルリスト以外のシステム間セルを測定させることを前記ユーザ装置に通知するための自動隣接セル関係機能（Ａｕｔｏｍａｔｉｃ  Ｎｅｉｇｈｂｏｒ  Ｒｅｌａｔｉｏｎｓｈｉｐ  Ｆｕｎｃｔｉｏｎ：ＡＮＲＦ）情報要素を含む。或いは、前記通知メッセージは、周波数間隣接セルリスト以外の周波数間セル又はシステム間隣接セルリスト以外のシステム間セルを測定させることを前記ユーザ装置に通知するための、セル状態を示す既存の情報要素を含む。
【００３７】
ネットワーク側によって送信される通知メッセージは、システムブロードキャストメッセージであってもよいし、測定制御メッセージであってもよいし、その他のダウンリンクメッセージであってもよい。
【００３８】
周波数間隣接セルリスト以外の周波数間セルとは、周波数間検出セットセル（ｃｅｌｌｓ  ｗｉｔｈｉｎ  ｄｅｔｅｃｔｅｄ  ｓｅｔ  ｏｎ  ｎｏｎ−ｕｓｅｄ  ｆｒｅｑｕｅｎｃｙ）である。周波数間検出セットセルは、周波数間モニタセットセル（ｃｅｌｌｓ  ｗｉｔｈｉｎ  ｍｏｎｉｔｏｒｅｄ  ｓｅｔ  ｏｎ  ｎｏｎ−ｕｓｅｄ  ｆｒｅｑｕｅｎｃｙ）、周波数間仮想アクティブセットセル（ｃｅｌｌｓ  ｗｉｔｈｉｎ  ａｌｌ  ｖｉｒｔｕａｌ  ａｃｔｉｖｅ  ｓｅｔ  ｏｎ  ｎｏｎ−ｕｓｅｄ  ｆｒｅｑｕｅｎｃｙ）以外のセルである。
【００３９】
システム間隣接セルリスト以外のシステム間セルとは、システム間検出セットセル（ｃｅｌｌｓ  ｗｉｔｈｉｎ  ｄｅｔｅｃｔｅｄ  ｓｅｔ  ｏｎ  ｔｈｅ  ｏｔｈｅｒ  ＲＡＴ）である。システム間検出セットセルは、システム間モニタセットセル（ｃｅｌｌｓ  ｗｉｔｈｉｎ  ｍｏｎｉｔｏｒｅｄ  ｓｅｔ  ｏｎ  ｔｈｅ  ｏｔｈｅｒ  ＲＡＴ）、システム間仮想アクティブセットセル（ｃｅｌｌｓ  ｗｉｔｈｉｎ    ａｌｌ  ｖｉｒｔｕａｌ  ａｃｔｉｖｅ  ｓｅｔ  ｏｎ  ｔｈｅ  ｏｔｈｅｒ  ＲＡＴ）以外のセルである。
【００４０】
前記通知メッセージは、前記ユーザ装置によって報告されるメッセージにおいて測定結果が所属する周波数間セルの最大数を示すためのセル数指示情報要素を更に含む。
【００４１】
ステップ１０２：ユーザ装置は、通知メッセージを受信した後、この通知メッセージにより通知された、周波数間隣接セルリスト以外の周波数間セルを測定するか、又はこの通知メッセージにより通知された、システム間隣接セルリスト以外のシステム間セルを測定する。そして、ユーザ装置は、測定結果を報告する。
【００４２】
前記ユーザ装置が隣接セルを測定する場合に測定される物理量は、共通パイロットチャネルの１チップあたりのエネルギ対雑音比、共通パイロットチャネル受信信号コードパワー、プライマリー共通制御物理チャネル受信信号コードパワー、タイムスロット信号コードパワー干渉経路損失のうち１つ以上の物理量を含む。
【００４３】
無線ネットワーク制御装置は、前記ユーザ装置によって報告された測定結果に応じて、前記ユーザ装置のハンドオーバーターゲットセルを決定する。これにより、ユーザ装置がタイムリーにハンドオーバーを行うことが可能となり、コールドロップを有効に防止することができる。
【００４４】
無線ネットワーク制御装置は、前記ユーザ装置によって報告された測定結果に応じて、システムによって維持された隣接セル情報を更新する。そして、この測定方法を満たさないユーザ装置に対して、測定制御メッセージを送信する場合、無線ネットワーク制御装置は、更新された隣接セルリストを利用する。これにより、関連するユーザ装置がより好ましいセルにタイムリーにハンドオーバーすることが可能となり、ユーザ装置の通話の継続性を保証することができる。
【００４５】
以下、具体的な実施形態を合わせて本発明を詳しく説明する。
【００４６】
実施形態１：
実施形態１では、周波数間セルを例に挙げて本発明を説明する。
【００４７】
ステップＳ１０１：無線ネットワーク制御装置は、周波数間隣接セルリスト以外の周波数間セルを測定させることを前記ユーザ装置に通知するための指示情報を含む通知メッセージを、ユーザ装置に送信する。
【００４８】
この通知メッセージは、システムブロードキャストメッセージであってもよいし、測定制御メッセージであってもよいし、その他のダウンリンクメッセージであってもよい。
【００４９】
この通知メッセージは、自動隣接セル関係機能情報要素を含む。周波数間隣接セルの場合、この自動隣接セル関係機能情報要素は、自動隣接セル関係機能のための周波数間隣接セル指示情報要素（Ｉｎｔｅｒ−Ｆｒｅｑｕｅｎｃｙ  Ｉｎｄｉｃａｔｉｏｎ  ｆｏｒ  ＡＮＲＦ）である。ユーザ装置によって受信されたシステムブロードキャストメッセージ又は測定制御メッセージにこの情報要素が含まれる場合、ユーザ装置は、周波数間セルリスト以外の周波数間セルを測定する必要があると認識する。ユーザ装置によって受信されたシステムブロードキャストメッセージ又は測定制御メッセージにこの情報要素が含まれない場合、ユーザ装置は、周波数間セルリスト内のセルのみを測定すると認識する。
【００５０】
ネットワーク側は、この自動隣接セル関係機能のための周波数間隣接セル指示情報要素において、周波数間セルリスト以外の具体的な周波数間セルを特定してもよい。周波数間セルリスト以外の周波数間隣接セルは、周波数間検出セットセル（ｃｅｌｌｓ  ｗｉｔｈｉｎ  ｄｅｔｅｃｔｅｄ  ｓｅｔ  ｏｎ  ｎｏｎ−ｕｓｅｄ  ｆｒｅｑｕｅｎｃｙ）である。周波数間検出セットセルは、周波数間モニタセットセル、周波数間仮想アクティブセットセル以外のセルである。
【００５１】
ネットワーク側は、測定を指示するための上記した新たな情報要素を追加する方式の他に、既存の情報要素を再利用する方式を採用することもできる。例えば、ネットワーク側は、セル状態を示す既存の情報要素を再利用して、セルリスト以外のセルを測定するように前記ユーザ装置に通知することも可能である。周波数間検出セットの概念が導入されてよい。具体的には、周波数間検出セットは、周波数間モニタセット、周波数間仮想アクティブセット以外のセルセットである。このセルセットは、他の名称で呼ばれてもよい。ネットワーク側は、セル状態を示す情報要素によって、周波数間セルリスト以外の具体的な周波数間セルを更に特定してもよい。周波数間セルリスト以外の周波数間隣接セルは、周波数間検出セットセルである。周波数間検出セットセルは、周波数間モニタセットセル、周波数間仮想アクティブセットセル以外のセルである。
【００５２】
通知メッセージは、報告する必要があるセルを示す情報ユニットを更に含んでいてもよい。この情報ユニットは、以下に示す報告方式のうちいずれか１つを示してもよい。
【００５３】
周波数間検出セットセルのみを報告する方式。ここで、情報ユニットの値は、「Ｒｅｐｏｒｔ  ｃｅｌｌｓ  ｗｉｔｈｉｎ  ｄｅｔｅｃｔｅｄ  ｓｅｔ  ｏｎ  ｎｏｎ−ｕｓｅｄ  ｆｒｅｑｕｅｎｃｙ」である。
【００５４】
周波数間モニタセットセルのみを報告する方式。ここで、情報ユニットの値は、「Ｒｅｐｏｒｔ  ｃｅｌｌｓ  ｗｉｔｈｉｎ  ｍｏｎｉｔｏｒｅｄ  ｓｅｔ  ｏｎ  ｎｏｎ−ｕｓｅｄ  ｆｒｅｑｕｅｎｃｙ」である。
【００５５】
周波数間モニタセットセル及び／又は周波数間検出セットセルを報告する方式。ここで、情報ユニットの値は、「Ｒｅｐｏｒｔ  ｃｅｌｌｓ  ｗｉｔｈｉｎ  ｍｏｎｉｔｏｒｅｄ  ｓｅｔ  ａｎｄ／ｏｒ  ｄｅｔｅｃｔｅｄ  ｓｅｔ  ｏｎ  ｎｏｎ−ｕｓｅｄ  ｆｒｅｑｕｅｎｃｙ」である。
【００５６】
周波数間仮想アクティブセットセルと周波数間検出セットセルとをペアで報告する方式。ここで、情報ユニットの値は、「Ｒｅｐｏｒｔ  ａｌｌ  ｖｉｒｔｕａｌ  ａｃｔｉｖｅ  ｓｅｔ  ｃｅｌｌｓ  ＋  ｃｅｌｌｓ  ｗｉｔｈｉｎ  ｄｅｔｅｃｔｅｄ  ｓｅｔ  ｏｎ  ｎｏｎ−ｕｓｅｄ  ｆｒｅｑｕｅｎｃｙ」である。
【００５７】
周波数間仮想アクティブセットセルと周波数間モニタセットセルとをペアで報告する方式。ここで、情報ユニットの値は、「Ｒｅｐｏｒｔ  ａｌｌ  ｖｉｒｔｕａｌ  ａｃｔｉｖｅ  ｓｅｔ  ｃｅｌｌｓ  ＋  ｃｅｌｌｓ  ｗｉｔｈｉｎ  ｍｏｎｉｔｏｒｅｄ  ｓｅｔ  ｏｎ  ｎｏｎ−ｕｓｅｄ  ｆｒｅｑｕｅｎｃｙ」である。
【００５８】
周波数間モニタセットと周波数間検出セットセルとのセットと周波数間仮想アクティブセットセルとをペアで報告する方式。ここで、情報ユニットの値は、「Ｒｅｐｏｒｔ  ａｌｌ  ｖｉｒｔｕａｌ  ａｃｔｉｖｅ  ｓｅｔ  ｃｅｌｌｓ  ＋  ｃｅｌｌｓ  ｗｉｔｈｉｎ  ｍｏｎｉｔｏｒｅｄ  ｓｅｔ  ａｎｄ  ｄｅｔｅｃｔｅｄ  ｓｅｔ  ｏｎ  ｎｏｎ−ｕｓｅｄ  ｆｒｅｑｕｅｎｃｙ」である。
【００５９】
ユーザ装置（ＵＥ）の省電力化のために、報告するセルの数が制御されてもよい。例えば、前記ユーザ装置によって報告されるメッセージにおいて測定結果が所属する周波数間セルの最大数を示すためのセル数指示情報要素が追加されてもよい。周波数間セルの最大数は、１以上であってもよい。
【００６０】
ネットワーク側は、周波数間セルリスト以外の周波数間セルの測定の指示を開始することを自身で決定してもよい。或いは、ネットワーク側は、自己組織ネットワークディシジョン・センター又はネットワーク管理システムの決定を受信した後、測定の指示を開始してもよい。
【００６１】
ステップＳ１０２：ユーザ装置は、通知メッセージを受信した後、前記周波数間セルリスト以外の周波数間セルを測定し、そして測定結果を報告する。
【００６２】
報告を行う報告方式としては、周期的報告及びイベント報告の２種類の報告方式が存在する。報告方式が周期的報告である場合、ユーザ装置（ＵＥ）は、周期的に測定値をネットワーク側に報告する。報告方式がイベント報告である場合、ユーザ装置（ＵＥ）は、測定結果とイベント閾値とを比較し、測定結果が閾値より低い（又は閾値より高い）場合に、測定結果をネットワーク側に報告する。ここで、報告される測定結果はイベント結果であってもよく、測定された物理量の値がイベント結果に対して追加されてもよい。
【００６３】
イベント報告の方式が採用された場合、ＡＮＲＦに用いられるイベント閾値とハンドオーバーに用いられるイベント閾値との値は、同一であってもよく、異なってもよい。ＡＮＲＦに用いられるイベント閾値とハンドオーバーに用いられるイベント閾値との値が同一である場合、同一の測定制御メッセージにおいて、ハンドオーバー及びＡＮＲＦの両方で要求されるイベントを報告することが要求される。ＡＮＲＦに用いられるイベント閾値とハンドオーバーに用いられるイベント閾値との値が異なっている場合、ＡＮＲＦイベントは、その次の測定制御メッセージで報告されてもよい。
【００６４】
測定される物理量は、共通パイロットチャネルの１チップあたりのエネルギ対雑音比（Ｃｏｍｍｏｎ  Ｐｉｌｏｔ  Ｃｈａｎｎｅｌ  Ｅｎｅｒｇｙ  ｐｅｒ  ｃｈｉｐ  Ｎｏｉｓｅ  Ｒａｔｉｏ：ＣＰＩＣＨ  Ｅｃ／Ｎ０）、共通パイロットチャネル受信信号コードパワー（Ｃｏｍｍｏｎ  Ｐｉｌｏｔ  Ｃｈａｎｎｅｌ  Ｒｅｃｅｉｖｅｄ  Ｓｉｇｎａｌ  Ｃｏｄｅ  Ｐｏｗｅｒ：ＣＰＩＣＨ  ＲＳＣＰ）、プライマリー（Ｐｒｉｍａｒｙ）共通制御物理チャネル受信信号コードパワー（Ｃｏｍｍｏｎ  Ｃｏｎｔｒｏｌ  Ｐｈｙｓｉｃａｌ  Ｃｈａｎｎｅｌ  Ｒｅｃｅｉｖｅｄ  Ｓｉｇｎａｌ  Ｃｏｄｅ  Ｐｏｗｅｒ：ＣＣＰＣＨ  ＲＳＣＰ）、タイムスロット（Ｔｉｍｅｓｌｏｔ）信号コードパワー干渉（Ｉｎｔｅｒｆｅｒｅｎｃｅ  ｏｎ  Ｓｉｇｎａｌ  Ｃｏｄｅ  Ｐｏｗｅｒ：ＩＳＣＰ）経路損失（Ｐａｔｈｌｏｓｓ）等であってもよい。
【００６５】
ステップＳ１０３：無線ネットワーク制御装置（ＲＮＣ）は、ユーザ装置（ＵＥ）によって報告された周波数間測定結果を受信し、アルゴリズムに従ってハンドオーバーを実行することを決定し、周波数間ハンドオーバーを行うようにユーザ装置（ＵＥ）に通知する。
【００６６】
ステップＳ１０４：無線ネットワーク制御装置（ＲＮＣ）は、ユーザ装置（ＵＥ）によって報告された周波数間測定結果を受信し、アルゴリズムに従って周波数間隣接セルの更新を実行することを決定する。そして、無線ネットワーク制御装置は、結果を自己組織ネットワーク又はネットワークマネージャに送信し、周波数間隣接セルが自動更新される。
【００６７】
実施形態２：
実施形態２では、システム間セルを例に挙げて本発明を説明する。
【００６８】
ステップＳ２０１：無線ネットワーク制御装置は、システム間隣接セルリスト以外のシステム間セルを測定させることを前記ユーザ装置に通知するための指示情報を含む通知メッセージを、ユーザ装置に送信する。
【００６９】
この通知メッセージは、システムブロードキャストメッセージであってもよいし、測定制御メッセージであってもよいし、その他のダウンリンクメッセージであってもよい。
【００７０】
この通知メッセージは、自動隣接セル関係機能情報要素を含む。システム間隣接セルの場合、この自動隣接セル関係機能情報要素は、自動隣接セル関係機能のためのシステム間隣接セル指示情報要素（Ｉｎｔｅｒ−ＲＡＴ  Ｉｎｄｉｃａｔｉｏｎ  ｆｏｒ  ＡＮＲＦ）である。ユーザ装置によって受信されたシステムブロードキャストメッセージ又は測定制御メッセージに、この情報要素が含まれる場合、ユーザ装置は、システム間セルリスト以外のシステム間セルを測定する必要があると認識する。ユーザ装置によって受信されたシステムブロードキャストメッセージ又は測定制御メッセージに、この情報要素が含まれない場合、ユーザ装置は、システム間セルリスト内のセルのみを測定すると認識する。
【００７１】
ネットワーク側は、この自動隣接セル関係機能のためのシステム間隣接セル指示情報要素において、システム間セルリスト以外の具体的なシステム間セルを特定してもよい。システム間セルリスト以外のシステム間隣接セルは、システム間検出セットセル（ｃｅｌｌｓ  ｗｉｔｈｉｎ  ｄｅｔｅｃｔｅｄ  ｓｅｔ  ｏｎ  ｔｈｅ  ｏｔｈｅｒ  ＲＡＴ）である。
【００７２】
ネットワーク側は、測定を指示するための上記した新たな情報要素を追加する方式の他に、既存の情報要素を再利用する方式を採用することもできる。例えば、ネットワーク側は、セル状態を示す既存の情報要素を再利用して、セルリスト以外のセルを測定するように前記ユーザ装置に通知することも可能である。システム間検出セットの概念が導入されてよい。具体的には、システム間検出セットは、システム間モニタセット、システム間仮想アクティブセット以外のセルセットである。このセルセットは、他の名称で呼ばれてもよい。ネットワーク側は、セル状態を示す情報要素によって、システム間セルリスト以外の具体的なシステム間セルを更に特定してもよい。システム間セルリスト以外のシステム間隣接セルは、システム間検出セットセルである。
【００７３】
通知メッセージは、報告する必要があるセルを示す情報ユニットを更に含んでいてもよい。この情報ユニットは、以下に示す報告方式のうちいずれか１つを示してもよい。
【００７４】
システム間検出セットセルのみを報告する方式。ここで、情報ユニットの値は、「Ｒｅｐｏｒｔ  ｃｅｌｌｓ  ｗｉｔｈｉｎ  ｄｅｔｅｃｔｅｄ  ｓｅｔ  ｏｎ  ｔｈｅ  ｏｔｈｅｒ  ＲＡＴ」である。
【００７５】
システム間モニタセットセルのみを報告する方式。ここで、情報ユニットの値は、「Ｒｅｐｏｒｔ  ｃｅｌｌｓ  ｗｉｔｈｉｎ  ｍｏｎｉｔｏｒｅｄ  ｓｅｔ  ｏｎ  ｔｈｅ  ｏｔｈｅｒ  ＲＡＴ」である。
【００７６】
システム間モニタセットセル及び／又はシステム間検出セットセルを報告する方式。ここで、情報ユニットの値は、「Ｒｅｐｏｒｔ  ｃｅｌｌｓ  ｗｉｔｈｉｎ  ｍｏｎｉｔｏｒｅｄ  ｓｅｔ  ａｎｄ／ｏｒ  ｄｅｔｅｃｔｅｄ  ｓｅｔ  ｏｎ  ｔｈｅ  ｏｔｈｅｒ  ＲＡＴ」である。
【００７７】
システム間仮想アクティブセットセルとシステム間検出セットセルとをペアで報告する方式。ここで、情報ユニットの値は、「Ｒｅｐｏｒｔ  ａｌｌ  ｖｉｒｔｕａｌ  ａｃｔｉｖｅ  ｓｅｔ  ｃｅｌｌｓ  ＋  ｃｅｌｌｓ  ｗｉｔｈｉｎ  ｄｅｔｅｃｔｅｄ  ｓｅｔ  ｏｎ  ｔｈｅ  ｏｔｈｅｒ  ＲＡＴ」である。
【００７８】
システム間仮想アクティブセットセルとシステム間モニタセットセルとをペアで報告する方式。ここで、情報ユニットの値は、「Ｒｅｐｏｒｔ  ａｌｌ  ｖｉｒｔｕａｌ  ａｃｔｉｖｅ  ｓｅｔ  ｃｅｌｌｓ  ＋  ｃｅｌｌｓ  ｗｉｔｈｉｎ  ｍｏｎｉｔｏｒｅｄ  ｓｅｔ  ｏｎ  ｔｈｅ  ｏｔｈｅｒ  ＲＡＴ」である。
【００７９】
システム間モニタセットとシステム間検出セットセルとのセットとシステム間仮想アクティブセットセルとをペアで報告する方式。ここで、情報ユニットの値は、「Ｒｅｐｏｒｔ  ａｌｌ  ｖｉｒｔｕａｌ  ａｃｔｉｖｅ  ｓｅｔ  ｃｅｌｌｓ  ＋  ｃｅｌｌｓ  ｗｉｔｈｉｎ  ｍｏｎｉｔｏｒｅｄ  ｓｅｔ  ａｎｄ  ｄｅｔｅｃｔｅｄ  ｓｅｔ  ｏｎ  ｔｈｅ  ｏｔｈｅｒ  ＲＡＴ」である。
【００８０】
ユーザ装置（ＵＥ）の省電力化のために、報告するセルの数が制御されてもよい。例えば、前記ユーザ装置によって報告されるメッセージにおいて測定結果が所属するシステム間セルの最大数を示すためのセル数指示情報要素が追加されてもよい。システム間セルの最大数は、１以上であってもよい。
【００８１】
ネットワーク側は、システム間セルリスト以外のシステム間セルの測定の指示を開始することを自身で決定してもよい。或いは、ネットワーク側は、自己組織ネットワークディシジョン・センター又はネットワーク管理システムの決定を受信した後、測定の指示を開始してもよい。
【００８２】
ステップＳ２０２：ユーザ装置は、通知メッセージを受信した後、前記システム間セルリスト以外のシステム間セルを測定し、そして測定結果を報告する。
【００８３】
報告を行う報告方式としては、周期的報告及びイベント報告の２種類の報告方式が存在する。報告方式が周期的報告である場合、ユーザ装置（ＵＥ）は、周期的に測定値をネットワーク側に報告する。報告方式がイベント報告である場合、ユーザ装置（ＵＥ）は、測定結果とイベント閾値とを比較し、測定結果が閾値より低い（又は閾値より高い）場合に、測定結果をネットワーク側に報告する。ここで、報告される測定結果は、イベント結果であってもよく、測定された物理量の値がイベント結果に対して追加されてもよい。
【００８４】
イベント報告の方式が採用された場合、ＡＮＲＦに用いられるイベント閾値とハンドオーバーに用いられるイベント閾値との値は、同一であってもよく、異なってもよい。ＡＮＲＦに用いられるイベント閾値とハンドオーバーに用いられるイベント閾値との値が同一である場合、同一の測定制御メッセージにおいて、ハンドオーバー及びＡＮＲＦの両方で要求されるイベントを報告することが要求される。ＡＮＲＦに用いられるイベント閾値とハンドオーバーに用いられるイベント閾値との値が異なっている場合、ＡＮＲＦイベントは、その次の測定制御メッセージで報告されてもよい。
【００８５】
測定される物理量は、共通パイロットチャネルの１チップあたりのエネルギ対雑音比（Ｃｏｍｍｏｎ  Ｐｉｌｏｔ  Ｃｈａｎｎｅｌ  Ｅｎｅｒｇｙ  ｐｅｒ  ｃｈｉｐ  Ｎｏｉｓｅ  Ｒａｔｉｏ：ＣＰＩＣＨ  Ｅｃ／Ｎ０）、共通パイロットチャネル受信信号コードパワー（Ｃｏｍｍｏｎ  Ｐｉｌｏｔ  Ｃｈａｎｎｅｌ  Ｒｅｃｅｉｖｅｄ  Ｓｉｇｎａｌ  Ｃｏｄｅ  Ｐｏｗｅｒ：ＣＰＩＣＨ  ＲＳＣＰ）、プライマリー（Ｐｒｉｍａｒｙ）共通制御物理チャネル受信信号コードパワー（Ｃｏｍｍｏｎ  Ｃｏｎｔｒｏｌ  Ｐｈｙｓｉｃａｌ  Ｃｈａｎｎｅｌ  Ｒｅｃｅｉｖｅｄ  Ｓｉｇｎａｌ  Ｃｏｄｅ  Ｐｏｗｅｒ：ＣＣＰＣＨ  ＲＳＣＰ）、タイムスロット（Ｔｉｍｅｓｌｏｔ）信号コードパワー干渉（Ｉｎｔｅｒｆｅｒｅｎｃｅ  ｏｎ  Ｓｉｇｎａｌ  Ｃｏｄｅ  Ｐｏｗｅｒ：ＩＳＣＰ）経路損失（Ｐａｔｈｌｏｓｓ）等であってもよい。
【００８６】
ステップＳ２０３：無線ネットワーク制御装置（ＲＮＣ）は、ユーザ装置（ＵＥ）によって報告されたシステム間セル測定結果を受信し、アルゴリズムに従ってハンドオーバーを実行することを決定し、システム間ハンドオーバーを行うようにユーザ装置（ＵＥ）に通知する。
【００８７】
ステップＳ２０４：無線ネットワーク制御装置（ＲＮＣ）は、ユーザ装置（ＵＥ）によって報告されたシステム間測定結果を受信し、アルゴリズムに従ってシステム間隣接セルの更新を実行することを決定する。そして、無線ネットワーク制御装置は、結果を自己組織ネットワーク又はネットワークマネージャに送信し、システム間隣接セルが自動更新される。
【００８８】
以上の方法は、ＷＣＤＭＡ、ＴＤ−ＳＣＤＭＡシステムを含む３Ｇ通信システムに適用されるが、これらに限られない。
【００８９】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【産業上の利用可能性】
【００９０】
本発明では、ユーザ装置は、隣接セルリスト以外のセルを測定した後、測定結果をネットワーク側に通知する。これにより、ユーザ装置の隣接セル情報を取得するネットワーク側の能力が向上する。ネットワーク側は、ユーザ装置によって報告された測定結果に応じて、周波数間ハンドオーバー又はシステム間ハンドオーバーを実行することを決定する。これにより、ユーザ装置がタイムリーにハンドオーバーを行うことが可能となり、コールドロップを有効に防止することができる。同時に、ネットワーク側は、周波数間隣接セル又はシステム間隣接セルに対して更新を行う。この測定方法を満たさないユーザ装置に対して、測定制御メッセージを送信する場合、更新された隣接セルリストを利用する。これにより、関連するユーザ装置がより好ましいセルにタイムリーにハンドオーバーすることができるようになり、従って、ユーザ装置の通話の継続性を保証することができる。
【図１】
0005596179.tif 000002